(57)【要約】【目的】  直流電流重畳特性の改善と低コスト化との双方を図ることが可能な磁性部材等を提供する。【構成】  磁性部材１は、分割コア１０と、分割コア１０のうち互いに付け合わされるコア１１，１２の間に位置するコア端面１１１上に切削研磨により形成された凹凸１１２とを備えている。凹凸１１２の凸部分１１２１の突起高さについてはギャップ長に相当する一方、凹部分１１２２の幅寸法についてはギャップ幅に相当し、これらの設定値の調整により、分割コア１０の磁気飽和及び漏れ磁束の状態を最適化することが可能になる。【選択図】      図１
2019121749.tif 000002
【特許請求の範囲】
【請求項１】
ノイズ対策用コア、ノーマルモードチョークコイル、トランス、リアクトルその他の磁気部材において、分割コアと、前記分割コアのうち互いに付け合わされるコアの間に位置するコア端面上に設けられた凹凸とを備えたことを特徴とする磁性部材。
【請求項２】
請求項1記載の磁性部材において、前記分割コアが組み合わされた状態で閉磁路の磁気回路となっていることを特徴とする磁性部材。
【請求項３】
請求項1又は２記載の磁性部材において、前記凹凸における凸部分の突起高さ及び凹部分の幅寸法が、前記分割コアの磁気飽和及び漏れ磁束を抑えるのに適した値に設定されていることを特徴とする磁性部材。
【請求項４】
ノイズ対策用コア、ノーマルモードチョークコイル、トランス、リアクトルその他の磁性部材の直流電流重畳特性を改善する方法であって、前記磁性部材のコアとして分割コアを用いた上で、当該分割コアのうち互いに付け合わされるコアの間に位置するコア端面上に対し凹凸を形成し、これにより前記分割コアの磁気飽和及び漏れ磁束を抑えたことを特徴とする磁性部材の直流電流重畳特性改善方法。
【発明の詳細な説明】
【技術分野】
【０００１】
本発明はノーマルモードチョークコイル、ノイズ対策用コア、トランス、リアクトルその他の磁性部材及び同部材の直流電流重畳特性改善方法に関する。
【背景技術】
【０００２】
高透磁率のコア素材であるＭｎ−Ｚｎフェライト，Ｆｅ基アモルファス又はナノ結晶鉄等が用いられた磁性部材については、直流電流重畳特性（又は直流重畳特性）が良好とは言えない。このような素材が用いられたコアに大電流を流すと、磁気飽和が生じ易くインダクタンスが低下する。例えば、コアをノイズ対策に使用した場合、大電流になると所望のノイズ除去効果が得られず、使い物にならない。このような問題の対策としてはコアに磁気ギャップを設けるのが一般的である。    
【先行技術文献】
【特許文献】
【０００３】
【特許文献１】特開２０１１−２２２５９０号公報
【発明の概要】
【発明が解決しようとする課題】
【０００４】
しかしながら、上記従来例による場合、コアに磁気ギャップを設けることにより直流電流重畳特性が良好になる反面、漏れ磁束が多く磁気シールドを施す必要になる場合がある。また、コアの磁気ギャップにギャップ板，絶縁紙又は絶縁テープ等を挟み込みギャップ長を一定に確保することが必要になる場合がある。いずれの場合についても部品点数の増加に伴って組み立てが煩雑となり、この点でコスト高を招来する。要するに、直流電流重畳特性の改善と低コスト化との双方を図ることが現実問題として困難であった。
【０００５】
本発明は上記した背景の下で創作されたものであって、その目的とするところは、直流電流重畳特性の改善と低コスト化との双方を図ることが可能な磁性部材及び同部材の直流電流重畳特性改善方法を提供することにある。
【課題を解決するための手段】
【０００６】
上記課題を解決するために、本発明に係る磁性部材は、分割コアと、前記分割コアのうち互いに付け合わされたコアの間に位置するコア端面上に設けられた凹凸とを備えた構成になっている。
【０００７】
上記構成の磁性部材による場合、分割コアのうち互いに付け合わされたコアの間に位置するコア端面に凹凸が形成された構成になっていることから、凹凸のうち凹部分がエアーギャップとなり、磁気飽和が発生し難くなり、これに伴って直流電流重畳特性が改善される。一方、凹凸のうち凸部分は磁束流通路となり、この部分からの漏れ磁束はない。よって、従来に比べて漏れ磁束のレベルが小さくなり、磁束漏れ対策が不要になるケースがある。また、凹部分のギャップ長は、凸部分がスペーサとなることから維持され、従来とは異なり特別なスペーサが不要になる。よって、直流電流重畳特性の改善と低コスト化との双方を図ることが可能になる。
【０００８】
好ましくは、前記分割コアについて組み合わされた状態で閉磁路の磁気回路とした構成にすると良い。
【０００９】
上記形態の磁性部材による場合、分割コアが閉磁路の磁気回路とされた構成になっていることから、磁束漏れ対策を施す必要がなく、この点で一層の低コスト化を図ることが可能になる。
【００１０】
好ましくは、前記凹凸における凸部分の突起高さ及び凹部分の幅寸法が、前記分割コアの磁気飽和及び漏れ磁束を抑えるのに適した値に設定された構成にすると良い。
【００１１】
上記形態の磁性部材による場合、凸部分の突起高さについてはギャップ長に相当する一方、凹部分の幅寸法についてはギャップ幅に相当することから、これらの設定値の調整により、分割コアの磁気飽和及び漏れ磁束の状態を最適化することが可能になり、ひいては、直流電流重畳特性の改善と低コスト化との双方をより一層図ることが可能になる。
【００１２】
本発明に係る磁性部材の直流電流重畳特性改善方法は、前記磁性部材のコアとして分割コアを用いた上で、当該分割コアのうち互いに付け合わされるコアの間に位置するコア端面上に対し凹凸を形成し、これにより当該分割コアが組み合わされた状態の磁性部材の磁気飽和及び漏れ磁束を抑えた内容になっている。
【００１３】
上記内容の磁性部材の直流電流重畳特性改善方法による場合、分割コアのコア端面上に対して凹凸を形成したことから、直流電流重畳特性が上記した通りに改善される。よって、直流電流重畳特性の改善と低コスト化との双方を図ることが可能になる。特に、コアが高透磁率及び加工が容易な材質であるときに上記効果が一層大きくなる。
【図面の簡単な説明】
【００１４】
【図１】本発明の磁性部材の実施形態を説明するための図であって、磁性部材の斜視図である。
【図２】（ａ），（ｂ）は同磁性部材の分割コアを構成する各コアの部分概略的側面図である。
【図３】同コアが付け合わされた状態における同磁性部材の部分概略的断面図である。
【図４】同磁性部材の直流電流重畳特性を説明するための図であって、コア端面に形成された凹凸の突起高さが０μｍであるときの分割コアについてのインピーダンス周波数特性図である。
【図５】同凹凸の突起高さが１μｍであるときの分割コアについてのインピーダンス周波数特性図である。
【図６】同凹凸の突起高さが１０μｍであるときの分割コアについてのインピーダンス周波数特性図である。
【図７】同凹凸の突起高さが５０μｍであるときの分割コアについてのインピーダンス周波数特性図である。
【図８】本発明の磁性部材の直流電流重畳特性改善方法を説明するための図であって、非分割コアの斜視図である。
【図９】同非分割コアについてのインピーダンス周波数特性図である。
【発明を実施するための形態】
【００１５】
以下、本発明の実施形態について図面を参照して説明する。ここに例として挙げる磁性部材１はノイズ対策用コアであって、図１に示されているように分割コア１０と、分割コア１０のうち互いに付け合わされるコア１１，１２の間に位置するコア端面１１１上に設けられた凹凸１１２とを備えている。
【００１６】
分割コア１０については、ここではコア素材としてＦｅ基アモルファスが用いられた２分割のトロイダルコアであって、両端にコア端面１１１を有したコア１１と、両端にコア端面１２１を有したコア１２とから構成されている。コア１１及びコア１２は同図に示されるように互いに付け合わせ可能である。分割コア１０はトロイダル型であることから閉磁路の磁気回路となっている。
【００１７】
本案例では、図２に示されているように、コア１１のコア端面１１１上に凹凸１１２がストライプ状に連続して各々形成されている。ここでは、コア端面１１１に対して平面研削盤を用いて切削研磨を行って凹凸１１２を各々形成している。一方、コア１２のコア端面１２１上には凹凸が形成されておらず、各々面一となっている。
【００１８】
凹凸１１２については、図３に示されているようにコア水平方向に延びて形成された凸部分１１２１と凹部分１１２２とを有し、これらが交互にコア高さ方向に複数配列されている。凸部分１１２１については磁束流通路になる一方、凹部分１１２２についてはエアーギャップになる。よって、凸部分１１２の突起高さαはギャップ長に相当し、凹部分１１２２の幅寸法βはギャップ幅に相当することになる。これらについては、分割コア１０の磁気飽和及び漏れ磁束を抑えるのに適した値に各々設定されている。これらの最適値については、磁性部材１のノイズ対策として要求される特性に応じて、分割コア１０のインピーダンス周波数特性を測定して決定すれば良い。
【００１９】
図４〜図７は、分割コア１０を取り付けた電線（図示省略）に流す電流に０Ａの大きさの直流電流と１５０Ａの大きさの直流電流とを重畳したときの分割コア１０のインピーダンス周波数特性の測定結果が各々示されている。ここでは測定条件をコア外径100ｍｍ、コア内径80ｍｍ、コア長さ20ｍｍ、凹凸１１２の幅寸法βを1ｍｍとし、突起高さα(図中では研磨レベルとして表示)の値をパラメータとした。なお、上記した事項については図９に示されるグラフについても同様である。
【００２０】
このような測定の結果、分割コア１０については、上記条件の下では、突起高さαを大きくする程、０Ａ重畳時と１５０Ａ重畳時との差が小さくなり、直流電流重畳特性が改善されていることが分かる。ここでは幅寸法β＝1ｍｍ、突起高さα＝50μｍの各値を最適値とした。
【００２１】
なお、分割コア１０のコア材質をＭｎ−Ｚｎフェライト又はナノクリスタル(鉄、シリカ、ニオブ及び銅からなるナノ結晶合金)等に変更したときも上記と同様の測定結果が出ることが確認されている。また、他の測定条件であるときも、上記と同様の測定を行って上記最適値を求めると良い。
【００２２】
上記構成の磁性部材１による場合、分割コア１０の凹部分１１２２がエアーギャップとなり、磁気飽和が発生し難くなる。これに伴って直流電流重畳特性が改善される。一方、凸部分１１２１は磁束流通路となり、この部分からの漏れ磁束はない。よって、従来に比べて漏れ磁束のレベルが小さくなり、磁束漏れ対策が不要になる。また、凹部分１１２２のギャップ長は、従来とは異なりスペーサを用いなくても凸部分１１２１により確保される。よって、直流電流重畳特性の改善と低コスト化との双方を図ることが可能になる。
【００２３】
それ故、磁性部材１を取り付けた電線に大電流を流したとしても、磁気飽和が生じ難くなり、これに伴って高いインピーダンスにより所望のノイズ除去効果が得られ、ひいては磁性部材1の高性能化を図ることが可能になる。しかも磁性部材１の部品点数が少なく、組み立て作業が簡単になる。凹凸１１２に関する加工も容易であることを含めて、磁性部材１の低コスト化を図ることが可能になる。
【００２４】
このような磁性部材１を用いた場合を例とした本発明の直流電流重畳特性改善方法の実施形態について説明する。
【００２５】
図８に示されたコア２０は分割コア１０に対応した非分割コアであって、そのインピーダンス周波数特性の測定結果については図９に示されている通りである。このようなコア２０の直流電流重畳特性を改善するには、磁性部材のコアとして、図１に示された分割コア１０を用いた上で、分割コア１０のうち互いに付け合わされるコア１１,１２の間に位置するコア端面１１１上に対し切削研磨を行って凹凸１１２を形成し、これにより分割コア１０の磁気飽和及び漏れ磁束を抑える。これらの詳細については上記した通りである。
【００２６】
上記した直流電流重畳特性改善方法による場合、直流電流重畳特性が図９から図７に改善される。しかも切削研磨の加工を行うだけで良いことから、上記した通りに直流電流重畳特性の改善と低コスト化との双方を図ることが可能になる。
【００２７】
なお、本発明に係る磁性部材は上記実施形態に限定されず、電源装置や電力機器等に広く使用されるコア、コイル、トランス及びリアクトル等にも上記と同様に適用可能である。また、下記の通りに設計変更しても構わない。
【００２８】
例えば、分割コアについては、コア全体の形状、コアの材質、コア端面の形状及び端面角度等が問われることがない。コア端面上の凹凸については、凹凸を設ける数や位置等が任意であり、凸部分及び凹部分の形状をストライプ状ではなく、例えばドット状に変更しても良い。また、コア端面に対して切削加工を行うのではなく、コアの組み合わせにより凹凸を設けるようにしても良い。さらに、付け合わされるコア端面の各々に凹凸を各々設ける形態であっても良い。
【００２９】
本発明に係る磁性部材の直流電流重畳特性改善方法については上記実施形態に限定されないのは上記と同様であり、コア端面上に凹凸を形成するための切削研磨方法についても問われることがない。例えば、コア材質としてフェライト等を使用し、金型内に凹凸や溝等を形成しておけば、分割コアの作成と同時に凹凸を形成することが可能になる。
【符号の説明】
【００３０】
１  磁性部材
１０  分割コア
１１  コア
１１１ コア端面
１１２  凹凸
１２  コア
１２１  コア端面
【図１】
2019121749.tif 000003
【図２】
2019121749.tif 000004
【図３】
2019121749.tif 000005
【図４】
2019121749.tif 000006
【図５】
2019121749.tif 000007
【図６】
2019121749.tif 000008
【図７】
2019121749.tif 000009
【図８】
2019121749.tif 000010
【図９】
2019121749.tif 000011